(57)【要約】      （修正有）【課題】複数の通信事業者ネットワーク間で共有される無線アクセスネットワークでのセル再選択の方法、及び、装置を提供する。【解決手段】ネットワークノードで、通信可能に接続されるユーザ装置の一つまたは複数の近隣セルに関連する少なくとも一つの通信事業者ネットワークに関する第１の情報を取得し、システム情報によって、第１の情報をユーザ装置にブロードキャストする。第１の情報は、キャリアのいずれかを使用する近隣セルそれぞれと、少なくとも一つの通信事業者ネットワークとの間の関係を示す第２の情報を含む。【選択図】図３
2018078632.tif 000002
【特許請求の範囲】
【請求項１】
複数の通信事業者ネットワークによって共有されるネットワークノードで、前記ネットワークノードに通信可能に接続されるユーザ装置の一つまたは複数の近隣セルに関連する少なくとも一つの通信事業者ネットワークに関する第１の情報を取得することと；
システム情報で、前記第１の情報を前記ユーザ装置にブロードキャストすることと；
を含み、前記第１の情報は、前記キャリアのいずれかを使用する前記近隣セルそれぞれと、前記少なくとも一つの通信事業者ネットワークとの間の関係を示す第２の情報をさらに含む、セル再選択方法。
【請求項２】
請求項１に記載の方法において、
前記第１の情報は、前記一つ又は複数の近隣セルのキャリアそれぞれに対し、前記キャリアを使用する通信事業者ネットワークのリストを含む、方法。
【請求項３】
請求項１または２に記載の方法において、
前記第１の情報は、前記キャリアのいずれかを使用する前記近隣セルそれぞれと、前記少なくとも一つの通信事業者ネットワークとの間の関係を示す第２の情報をさらに含む、方法。
【請求項４】
請求項１または２に記載の方法において、
前記キャリアはイントラ周波数キャリアを含み、前記イントラ周波数キャリアは前記ユーザ装置に対する現在のサービングキャリア周波数と同一の周波数である、方法。
【請求項５】
請求項１または２に記載の方法において、
前記システム情報は、インター周波数キャリアの周波数リストをさらに含み、前記キャリアは前記インター周波数キャリアを含み、前記インター周波数キャリアは、前記ユーザ装置に対する現在のサービングキャリア周波数と異なる周波数である、方法。
【請求項６】
請求項１または２に記載の方法において、
前記システム情報は、インターＲＡＴキャリアの周波数リストをさらに含み、前記キャリアは前記インターＲＡＴキャリアを含む、方法。
【請求項７】
請求項１に記載の方法において、
前記第１の情報は、特定の一つのキャリアを使用する前記近隣セルそれぞれと、前記少なくとも一つの通信事業者ネットワークとの間の関係を示す第３の情報を含む、方法。
【請求項８】
請求項５に記載の方法において、前記システム情報は、イントラ周波数近隣セルのリストをさらに含み、前記特定の一つのキャリアはイントラ周波数キャリアを含む、方法。
【請求項９】
請求項５に記載の方法において、前記システム情報は、インター周波数近隣セルのリストをさらに含み、前記特定の一つのキャリアはインター周波数キャリアそれぞれを含む、方法。
【請求項１０】
請求項１から請求項９のいずれかに記載の方法において、前記第１の情報は、前記少なくとも一つの通信事業者ネットワークの識別情報リストを含む、方法。
【請求項１１】
請求項１から請求項１０のいずれかに記載の方法において、前記少なくとも一つの通信事業者ネットワークの中で前記ネットワークノードと近隣基地局との間のインターフェースを設定する場合、前記第１の情報が前記ネットワークノードによって取得される、方法。
【請求項１２】
請求項１から請求項１１のいずれかに記載の方法において、前記ネットワークノードは、ＬＴＥ−Ｈｉのアクセスポイントである、方法。
【請求項１３】
処理手段と記憶手段とを備える装置であって、前記記憶手段はプログラム命令を格納し、前記プログラム命令は、前記処理手段に実行されると、前記装置に、請求項１から１２のいずれかに記載の方法を遂行させるように構成される、装置。
【請求項１４】
装置の処理手段に実行されることにより、前記装置に、請求項１から１２のいずれかに記載の方法を遂行させるように構成されるプログラム命令を備える、コンピュータプログラム。
【請求項１５】
複数の通信事業者ネットワークによって共有される装置であって、
前記装置に通信可能に接続されるユーザ装置の一つまたは複数の近隣セルに関連する少なくとも一つの通信事業者ネットワークに関する第１の情報を取得する手段と；
システム情報で、前記第１の情報を前記ユーザ装置にブロードキャストする手段と；
を備え、前記第１の情報は、前記キャリアのいずれかを使用する前記近隣セルそれぞれと、前記少なくとも一つの通信事業者ネットワークとの間の関係を示す第２の情報をさらに含む、装置。
【発明の詳細な説明】
【技術分野】
【０００１】
本発明の例示的かつ非限定的な実施形態は、一般的に通信ネットワーク、特に、複数のPLMN(public land mobile network)間での無線アクセスネットワーク（ＲＡＮ）の共有を用いる通信システムでのセル再選択に関するものである。
【発明の背景】
【０００２】
今後、無線ネットワーク及び無線接続を使用した無線データ送信が著しく増加することが予想される。無線データでのこの著しい増加に対処するため、サイズの小さなセルやホットスポット等を活用した効率的な負荷開放（offloading opportunity）の必要性について議論がなされている。様々な通信事業者にＲＡＮを共有することを許可するため、どのようにしてＲＡＮの効率的な利用を可能にするかについて、スリージーピーピー（3GPP；3rd Generation Partnership Project）のようなオープンフォーラムで研究が続けられており、いくつかの企業でも独自に同様の研究が続けられている。
【０００３】
ＲＡＮの共有は新規なものではないが、今後、スモールセルによる負荷の開放を確保しつつ（さらに、その環境に合理的な数のｅＮＢを配置させつつ）、通信事業者のコストを抑えるために、ＲＡＮの共有がさらに必要となる可能性が高い。スモールセルのＲＡＮが、例えば3.5GHzのキャリア上で共有される場合、必ずしも、マクロなＲＡＮ（例えば、広い通信可能エリアをカバーするＲＡＮ）が、スモールセルのＲＡＮ（ホットスポットのＲＡＮ）を共有する通信事業者間で共有されるわけではない。
【０００４】
アイドルモード（またはこれに類するモード）・モビリティ（mobility）がサポートされている場合、上記のような形態では一つの問題が生じる。アイドルモード・モビリティが従来通りであると仮定すると、アイドルモード・モビリティに関するモビリティ関連情報は、ブロードキャスト情報に基づく。このブロードキャスト情報は、所謂、全ユーザ装置（ＵＥ）によって受信される情報である。上記のような状況で、ＵＥを区別すること、例えば、ＵＥのリリース・バージョンまたはＵＥのＨＰＬＭＮ（Home Public Land Mobile Network）に基づいてＵＥを区別することは不可能である。したがって全ＵＥが、モビリティ関連情報も含む全てのブロードキャスト情報を受信する。
【０００５】
図１に示すように、２台のＵＥ（ＰＬＭＮ１との利用契約を有するＵＥ１、ＰＬＭＮ２との利用契約を有するＵＥ２）がある場合、問題が生じる。アクセスポイント（ＡＰ）は２つのＰＬＭＮ間で共有されるが、マクロネットワークは、正規の利用契約を有するＵＥとアクセスすることしかできない。すなわち、ＵＥ１はＰＬＭＮ２に配置されたｅＮＢ２にアクセスできず、ＵＥ２はＰＬＭＮ１に配置されたｅＮＢ１にはアクセスできない。
【０００６】
一方、ＡＰによってブロードキャストされたモビリティ情報は、ｅＮＢ１及びｅＮＢ２両方のキャリア（異なるキャリア）に関するキャリア情報を含む必要がある。このキャリア情報は、ＵＥ１及びＵＥ２両方に対して、モビリティを可能にする情報であるべきだからである。これらのＵＥはモビリティ情報を区別できない。このためＵＥ１は、モビリティ評価（mobility evaluation）において（キャリア２上で）ＰＬＭＮ２からセルをサーチ、検出、測定するであろうが、アクセスは許可されない。そして同様に、ＵＥ２はモビリティ評価において（キャリア１上で）ＰＬＭＮ１からセルをサーチ、検出、測定するだろう。この状況は、多数の不必要な再選択の原因となり、さらには、不必要なシグナリングの原因となる可能性がある。
【０００７】
3GPP TS 36.304には、ＵＥのアイドルモード・モビリティが記載されており、3GPP TS 36.331では、アイドルモード再選択手続きのサポートのために要求されるシステム情報を定義している。しかし、3GPP TS 36.331は、アクセスネットワークが、単独のネットワーク通信事業者の制御下にあるＰＬＭＮと接続されることを前提とする。したがって、上記仕様書で述べるシステム情報は、同一のＲＡＮを共有するＰＬＭＮに関連するいかなる情報も含んでいない。
【発明の概要】
【０００８】
本発明の例示的実施形態は、ユーザ装置が早期段階で、アクセス可能なキャリアとアクセス不可能なキャリアとを区別することを可能にする方法を提案する。ユーザ装置は、近隣セルに対するイントラ周波数及び／またはインター周波数の測定を開始すべきか否かを判断することが可能になる。これにより、前記ユーザ装置に関するＵｕインターフェースにおいて、不必要な測定を省略することができ、無駄なシグナリングが生じることを防ぐこともできるだろう。このような知識を用いれば、ユーザ装置は、セル再選択の間、このセル再選択に相応しくないキャリア及び／またはセルの測定を回避することができる。これにより、アイドルモードのＵＥに関する測定効率を改善し、ＵＥの電力消費を低減するであろう。
【０００９】
本発明の一態様は、セル再選択方法に関するものである。この方法は、複数の通信事業者ネットワークで共有されているネットワークノードから、ユーザ装置でシステム情報を受信すること、ここで、前記システム情報は前記ユーザ装置に対する一つまたは複数の近隣セルに関連する少なくとも一つの通信事業者ネットワークに関する第１の情報を含む、前記受信することと；前記第１の情報の少なくとも一部に基づいて、前記少なくとも一つの通信事業者ネットワークの中に前記ユーザ装置とアクセス可能な通信事業者ネットワークが存在するか否かを判断することと；アクセス可能な通信事業者ネットワークが一つまたは複数みつかった場合のみセル再選択手続きを実行することと；を含む。
【００１０】
本発明の第２の態様は、別の方法に関するものである。この方法は、複数の通信事業者ネットワークによって共有されるネットワークノードで、前記ネットワークノードに通信可能に接続されるユーザ装置の一つまたは複数の近隣セルに関連する少なくとも一つの通信事業者ネットワークに関する第１の情報を取得することと；システム情報で、前記第１の情報を前記ユーザ装置にブロードキャストすることと；を含む。
【００１１】
本発明の第３の態様は無線通信装置に関するものである。この装置は、送信機と、受信機と、プロセッサと、少なくとも一つのメモリとを備える装置であって、前記メモリはプログラムコードを格納し、該プログラムコードは、前記プロセッサに実行されると、前記装置に：複数の通信事業者ネットワークによって共有されているネットワークノードからシステム情報を受信すること、ここで、前記システム情報は、前記装置の一つ又は複数の近隣セルと関連する少なくとも一つの通信事業者ネットワークに関する第１の情報を含む、前記受信することと；前記第１の情報の少なくとも一部に基づいて、前記少なくとも一つの通信事業者ネットワークの中に、前記装置とアクセス可能な通信事業者ネットワークが存在するか否かを判断することと；アクセス可能な通信事業者ネットワークが一つ又は複数見つかった場合のみ、セル再選択手続きを実行することと；を遂行させる。
【００１２】
本発明の第４の態様は、複数の通信事業者ネットワークによって共有される装置に関連するものである。この装置は、送信機と、受信機と、プロセッサと、少なくとも一つのメモリとを備え、前記メモリはプログラムコードを格納し、該プログラムコードは、前記プロセッサに実行されると、前記装置に：前記装置に通信可能に接続されるユーザ装置の一つまたは複数の近隣セルに関連する少なくとも一つの通信事業者ネットワークに関する第１の情報を取得することと；システム情報で、前記第１の情報を前記ユーザ装置にブロードキャストすることと；を遂行させる。
【図面の簡単な説明】
【００１３】
本発明そのものや、その好ましい使用方法、さらにその更なる目的は、添付図面と共に以下の実施形態の詳細説明を参照確認することによって、よく理解されるであろう。図面に示されている実施形態において、多くの場合、同様の参照符号は同様の要素を表している。
【図１】本発明の実施形態に従う通信システム１００を描いた例示的な概略図である。
【図２】本発明の実施形態に従う図１に示された通信システムにおいてＵＥで使用されるセル再選択方法２００の例示的なフローチャートである。
【図３】本発明の実施形態に従う図１に示された通信システムにおいてアクセスポイントで使用されるセル再選択方法３００の例示的なフローチャートである。
【図４】本発明の一実施形態に従うキャリアレベル毎のイントラ周波数（intra-freq）モビリティに関するシステム情報ブロックタイプ４のＩＥ４００を含むシステム情報ブロックを記載した例示的説明である。
【図５】本発明の一実施形態に従うキャリアレベル毎のインター周波数（inter-freq）モビリティに関するシステム情報ブロックタイプ５のＩＥ５００を含むシステム情報を記載した例示的説明である。
【図６】本発明の一実施形態に従うキャリアレベル毎のインターＲＡＴ（inter-RAT）モビリティに関するシステム情報ブロックタイプ６のＩＥ６００を含むシステム情報を記載した例示的説明である。
【図７】本発明の一実施形態に従うセルレベル毎のイントラ周波数（intra-freq）モビリティに関するシステム情報ブロックタイプ４のＩＥ７００を含むシステム情報を記載した例示的説明である。
【図８】本発明の一実施形態に従うセルレベル毎のインター周波数（inter-freq）モビリティに関するシステム情報ブロックタイプ４のＩＥ８００を含むシステム情報を記載した例示的説明である。
【図９】本発明の典型的実施形態を実行するのに適するアクセスポイント及びユーザ装置を描いた簡易ブロック図を示す。
【実施形態の詳細説明】
【００１４】
いくつかの好ましい実施形態を、添付図面を参照して詳しく説明する。添付図面には、ここで開示する好ましい実施形態が示されている。しかし、本明細書で開示される技術思想は、様々な方法で実施可能である。したがって、本明細書で開示される技術思想は、本明細書に開示される実施形態によって限定解釈されるべきではない。むしろ、これら実施形態は、これらの技術思想を十分かつ完全に理解するために、また、これらの技術思想の範囲を当業者に完全に伝えるために提供される。
以下の例示的説明は、特定の例示的ネットワーク構造及び配置に関する非限定的な例として使用されている仕様を主に参照することを付記する。特に、E-UTRAN（Evolved Universal Terrestrial Radio Access Network）及びLET-Hi（Long Term Evolution Hotspot indoor）は、上述の例示的態様及び例示的実施形態の妥当性のための非限定的な例として使用される。そのため、本明細書に記載される例示的態様及び例示的実施形態の説明は、それに関連する専門用語を具体的に参照する。上記のような専門用語は、開示された非限定的な例示の文脈でのみ使用され、当然ながら、本発明を決して限定するものではない。むしろ、その他のあらゆる通信システム、周波数帯、ネットワーク構造、システム配備等もまた、本明細書に記載した機能に準拠する限り利用可能である。
【００１５】
以下では、本発明の様々な実施形態及び実装、及びその態様または実施形態が、いくつかの選択肢を用いて説明される。一般的に、特定の必要性や制約に従って、記載された選択肢の全てが単独で、または、想定されるあらゆる組み合わせで（様々な選択肢の個々の機能の組み合わせも含む）提供されうる。
【００１６】
Ｅ−ＵＴＲＡＮの携帯電話ネットワークでは、アイドルモードのＵＥ（User Equipment；ユーザ装置）は、ＰＬＭＮからシステム情報を受信するために（ページングメッセージやセルのブロードキャストメッセージ等を受信するために）、セルにキャンプオン（camp on）している必要がある。あるセルに既にキャンプオンしているアイドルモードのＵＥは、より適したセルが存在するかどうかを定期的に確認している。より適したセルが存在する場合や、ダウンリンクのシグナリングに不具合があった場合等には、セルの再選択が行われる。アイドルモードのＵＥのモビリティ（例えばセル再選択）は、インターＲＡＴ（inter-Radio Access Technology）モビリティと同様、イントラ周波数（intra-freq；intra-frequency）モビリティ及びインター周波数（inter-freq;inter-frequency）モビリティを含む。現在のサービングセル（serving cell）と移動候補先のターゲットセル（target cell）とが同一のキャリア周波数で動作している場合、イントラ周波数モビリティが生じる。一方、移動候補先のターゲットセルが、現在のサービングセルとは異なるキャリア周波数で動作している場合、インター周波数モビリティが生じる。上記のことは、インターＲＡＴモビリティに関しても同様である。ただし、新規のターゲットセルが別のＲＡＴで動作する可能性がある場合はそうではない。セル再選択の手続き中、ネットワークはＵＥを制御し、ブロードキャスト情報または専用制御（dedicated control）を使用することによって、イントラ周波数モビリティ及び／またはインター周波数モビリティに関する測定を実行する。ＵＥによって実行される近隣セルに関する測定は、イントラ周波数の測定（すなわち同一周波数に関する測定）を含み、さらに、インター周波数の測定（すなわち別の周波数に関する測定）及びインターＲＡＴの測定（すなわち別のＲＡＴに関する測定）を含んでもよい。
【００１７】
図１は、本発明の実施形態に従う通信システム１００を描いた例示的な概略図である。通信システム１００は、通常、複数の事業者ネットワーク（例えばＰＬＭＮ）によって共同使用される、共通の無線アクセスネットワーク１１０を備える。共通の無線アクセスネットワーク１１０は、アクセスポイント（ＡＰ）１０１等のネットワークノードを備えており、このアクセスポイント１０１は、各通信事業者によって運営される２つのＰＬＭＮのそれぞれの基地局（例えば、Ｅ−ＵＴＲＡＮのｅＮＢ）と通信可能に接続されている。さらに通信システム１００は、図１に示されているように、例えばＵＥ１及びＵＥ２等の複数のＵＥを含む。ＵＥ１及びＵＥ２は、それぞれＰＬＭＮ１及びＰＬＭＮ２との利用契約を有する。ＵＥは、通常、加入者識別モジュール（ＳＩＭ）及び／または汎用加入者識別モジュール（ＵＳＩＭ）若しくはメモリに、アクセス可能な全ＰＬＭＮのリストを保持する。ここで、図１に描かれたＰＬＭＮ、ｅＮＢ、ＵＥの数は説明のためのみであり、限定解釈されるべきでないことは理解されるべきである。ある実施形態では、ネットワークノードが、ＬＴＥ−ＨｉのＡＰまたはＬＴＥ−ＥＬＡのＡＰである場合もあるが、これに限定されない。
【００１８】
図２は、本発明の実施形態に従う、図１に示された通信システムにおけるＵＥで使用されるセル再選択方法２００の例示的なフローチャートである。図示されているように、ブロック２１０において、ＵＥはＡＰ１０１からシステム情報を受信する。上記のシステム情報は、ＵＥに対するサービングセルの近隣セルに関連する（１つ又は複数の）ＰＬＭＮに関するＰＬＭＮ情報を含む。一実施形態では、ＰＬＭＮ情報は、近隣セルのイントラ周波数キャリアを使用するＰＬＭＮのリストを含む。別の実施形態では、ＰＬＭＮ情報は、インター周波数キャリア／インターＲＡＴキャリアそれぞれに関し、各キャリアを使用するＰＬＭＮのリストを含む。さらに別の実施形態では、ＰＬＭＮ情報は、近隣セルとＰＬＭＮとの間の関連性を示す情報をさらに含む。イントラ周波数キャリア、及びインター周波数キャリア／インターＲＡＴキャリアのそれぞれについて、この関連性を示す情報を含んでいてもよい。この実施形態では、ＵＥが、あるキャリア（例えば、イントラ周波数キャリア、または、インター周波数キャリア若しくはインターＲＡＴキャリア）に関連付けられるアクセス可能なＰＬＭＮがあると既に判断している場合、及び、上記キャリアに関連付けられるＰＬＭＮのいくつかはアクセス可能であるが、その他はアクセス可能でない場合、ＵＥはさらに、上記キャリアを使用して近隣セルのうちどのセルがアクセス可能なＰＬＭＮに属しているか判断し、これら近隣セルに関する測定を実行するであろう。さらに別の実施形態では、ＰＬＭＮ情報は、特定の１つのキャリアを使用する一つまたは複数の近隣セルが属するＰＬＭＮのリストを含む。以下の説明では、図４〜図８を参照して、説明に役立つ非限定的なＰＬＭＮ情報の実例が提供される。
【００１９】
次にブロック２１１では、ＵＥは、自身とアクセス可能なＰＬＭＮが、上記ＰＬＭＮ情報に含まれるＰＬＭＮ内に存在するか否かを判断する。さらにブロック２１２では、一つまたは複数のＰＬＭＮがアクセス可能と判断された場合のみ、セル再選択の手続きがＵＥによって実行されうる。上記手続きは例えば、イントラ周波数、または、インター周波数／インターＲＡＴのセル検出及び測定を遂行することによって実行されうる。一方、アクセス可能なＰＬＭＮが一つもないと判断される場合は、セル再選択手続きは実行されない。
【００２０】
図３は、本発明の実施形態に従う、図１に示された通信システム１００におけるアクセスポイント等のネットワークノードで使用されるセル再選択方法３００の例示的なフローチャートである。図示されているように、ブロック３１０では、上記ネットワークノードと近隣の基地局（ｅＮＢ）との間のインターフェースを設定する場合、上記ネットワークノードは、上記近隣セルの各キャリアまたは上記近隣セルそれぞれについて、１つ又は複数のＰＬＭＮに関連するＰＬＭＮ情報を取得する。次にブロック３１１では、ネットワークノードが、例えば、ブロードキャスト制御チャネル（ＢＣＣＨ）またはシステム情報ブロック（ＳＩＢ）等を介して、全ＵＥに対してシステム情報によってＰＬＭＮ情報をブロードキャストする。
【００２１】
以下の説明では、システム情報に含まれるＰＬＭＮ情報の説明に役立つ例示が、図４〜図８を参照にして例として説明される。システム情報の例示は、3GPP TS 36.331を参照することによって選択される。ここでは、１３タイプのシステム情報ブロックが、システム情報を伝達するために定義されている。上記の仕様において、システム情報ブロックタイプ４（SystemInformationBlockType4）の情報要素（ＩＥ）は、近隣セルの関連情報を含むように定義されている。ここで、この近隣セルの関連情報は、イントラ周波数のセル再選択にのみ関するものである。そして、このＩＥは、ブラックリストにあるセルと同様、特定の再選択パラメータを有するセルを含む。システム情報ブロックタイプ５（SystemInformationBlockType5）のＩＥは、インター周波数のセル再選択にのみ関する情報を含むように定義されている。ここで、他のＥ−ＵＴＲＡ周波数に関する情報及びＩＥは、セル特有の再選択パラメータと周波数とに対して共通のセル再選択パラメータを含む場合がある。システム情報ブロックタイプ６（SystemInformationBlockType6）のＩＥは、インターＲＡＴのセル再選択にのみ関する情報を含むように定義されている。すなわち、当該情報は、セル再選択に関するＵＴＲＡ（Universal Terrestrial RAN）周波数及びＵＴＲＡの近隣セルについての情報を含むように定義される。システム情報ブロックタイプ７（SystemInformationBlockType7）のＩＥは、インターＲＡＴのセル再選択にのみ関する情報、すなわち、セル再選択に関するＧＥＲＡＮ（GSM (Global System for Mobile Communications) /ＥＤＧＥ(Enhanced Data rates for GSM Evolution) RAN）周波数についての情報を含むように定義される。システム情報ブロックタイプ８（SystemInformationBlockType8）のＩＥは、インターＲＡＴのセル再選択にのみ関する情報、すなわち、セル再選択に関するＣＤＭＡ２０００（Code Division Multiple Access 2000）の周波数及びＣＤＭＡ２０００の近隣セルについての情報を含むように定義される。以下に、本発明の実施形態に従うシステム情報の例示として、その中に設定されるＰＬＭＮ情報と共に、システム情報ブロックタイプ４のＩＥ、システム情報ブロックタイプ５のＩＥ、システム情報ブロックタイプ６のＩＥを、ＡＳＮ．１として例示する。
【００２２】
図４〜図８は、それぞれ、キャリアレベル毎のイントラ周波数モビリティ、キャリアレベル毎のインター周波数モビリティ、キャリアレベル毎のインターＲＡＴモビリティ、セルレベル毎のイントラ周波数モビリティ、セルレベル毎のインター周波数モビリティに関するＰＬＭＮ情報を示す。
【００２３】
図４は、本発明の一実施形態に従う、キャリアレベル毎のイントラ周波数モビリティに関するシステム情報であって、システム情報ブロックタイプ４のＩＥ４００を含むシステム情報の例示的記述である。イントラ周波数キャリアは、様々なＰＬＭＮで使用される場合があるため、図４に示すように、追加的ＰＬＭＮアイデンティティ・リスト（additional-plmn-IdentityList）の情報がＩＥ４００に含まれ、イントラ周波数キャリアとＰＬＭＮとの間の関連性を表す。上記の情報は、イントラ周波数キャリアを使用するＰＬＭＮのアイデンティティ・リストを含むこともできるが、これに限定されない。ＩＥ４００を受信すると、ＵＥは、関連するＰＬＭＮがこのＵＥを受け入れることが可能なＰＬＭＮであるか否かを確認する。例えば、関連するＰＬＭＮの識別情報が、このＵＥに保持されている許容されたＰＬＭＮのリストに含まれているか否かをチェックすることによって確認する。関連するＰＬＭＮの識別情報がリスト内にみつかった場合、このＰＬＭＮは許容され、従って、上記ＵＥとアクセス可能であると判断されうる。アクセス可能なＰＬＭＮが見つからない場合、イントラ周波数キャリア上でのセルに対するセル再選択は始動しないと考えられる。したがって、イントラ周波数の測定は実行されないと考えられる。
【００２４】
図５は、本発明の一実施形態に従う、キャリアレベル毎のインター周波数モビリティに関するシステム情報であって、システム情報ブロックタイプ５のＩＥ５００を含むシステム情報の例示的記述である。本実施形態では、ＩＥ５００は、インター周波数キャリアの周波数リストを含む。一つ一つのインター周波数キャリアの周波数に対して、追加的ＰＬＭＮアイデンティティ・リストの情報が提供され、この追加的ＰＬＭＮアイデンティティ・リストの情報には、対応するインター周波数キャリアの周波数のＰＬＭＮ情報が含まれている。このＰＬＭＮ情報は、特定の一つのインター周波数キャリアとＰＬＭＮとの間の関連性を示す。例えば、このインター周波数キャリアを使用するＰＬＭＮの識別情報のリストを含む場合がある。ＩＥ５００を受信すると、ＵＥは、あるインター周波数キャリアに関連するＰＬＭＮが、接続可能なＰＬＭＮであるか否かを確認する。例えば、関連するＰＬＭＮの識別情報が、このＵＥに保持されている許容されたＰＬＭＮのリストに含まれているか否かをチェックすることによって確認する。関連するＰＬＭＮの識別情報がリスト内にみつかった場合、このＰＬＭＮは許容され、従って、上記インター周波数キャリアが、上記ＵＥにアクセス可能であると判断されうる。アクセス可能なＰＬＭＮが見つからない場合、上記キャリアは上記ＵＥによってアクセス可能ではなく、上記インター周波数キャリアに対するセル再選択は始動しないと考えられる。したがって、上記インター周波数キャリア上での近隣セルに関連するインター周波数の測定は、実行される必要がないと考えられる。例えば、図１において、ＰＬＭＮ１のセルはキャリア１上にあり、ｅＮＢ２はキャリア２を使用して動作している。ＵＥ１は、ＰＬＭＮ１に対する利用契約を有している。図１に示した状況では、ＵＥ１は、ＡＰにキャンプオンしている間、ＡＰから受信したＰＬＭＮ情報に基づいて、キャリア２が、許容されたＰＬＭＮの中にはないＰＬＭＮ２で使用されていることを認識することができる。これに基づいて、上記ＵＥは、キャリア２上のセルは、通信するのに適さないセルであると判断することができる。よって、上記ＵＥは、このキャリアを使用してセル検出及び測定を実行する必要はなく、その結果、キャリア２上でのセルに対するセル再選択は始動されないと考えられる。
【００２５】
図６は、本発明の一実施形態に従うキャリアレベル毎のインターＲＡＴモビリティに関するシステム情報であって、システム情報ブロックタイプ６のＩＥ ６００を含むシステム情報の例示的記述である。図示されているように、ＩＥ６００は、インターＲＡＴキャリアの周波数リストを含む。そして、本実施形態で使用されるＲＡＴは、ＵＴＲＡＮを指す。ＧＥＲＡＮの場合、システム情報ブロックタイプ７が採用される可能性があり、ＣＤＭＡ２０００の場合、システム情報ブロックタイプ８が採用される可能性がある。図６に示したような例では、一つ一つのインターＲＡＴキャリアの周波数に対して、追加的ＰＬＭＮアイデンティティ・リストの情報が提供される。この追加的ＰＬＭＮアイデンティティ・リストの情報には、対応するインターＲＡＴキャリアの周波数のＰＬＭＮ情報が含まれている。このＰＬＭＮ情報は、特定のインターＲＡＴキャリアとＰＬＭＮとの間の関連性を示す。例えば、このインターＲＡＴキャリアを使用するＰＬＭＮの識別情報のリストを含む場合がある。ＩＥ６００を受信すると、ＵＥは、あるインターＲＡＴに関連するＰＬＭＮが、許容可能なＰＬＭＮであるか否かを確認する。例えば、関連するＰＬＭＮの識別情報が、このＵＥに保持されている許容されたＰＬＭＮのリストに含まれているか否かをチェックすることによって確認する。関連するＰＬＭＮの識別情報がリスト内にみつかった場合、このＰＬＭＮは許容され、従って、上記インターＲＡＴのキャリアが、上記ＵＥとアクセス可能であると判断されうる。アクセス可能なＰＬＭＮが見つからない場合、上記インターＲＡＴキャリアは上記ＵＥによってアクセス可能ではなく、上記インターＲＡＴキャリアに対するセル再選択は始動しないと考えられる。したがって、上記インターＲＡＴキャリア上での近隣セルに関連するインターＲＡＴの測定は、実行される必要がないと考えられる。
【００２６】
インター周波数キャリア／インターＲＡＴキャリア、または、イントラ周波数キャリアそれぞれに関するＰＬＭＮ情報は、ＡＰと近隣のｅＮＢ（例えば、ｅＮＢ１及びｅＮＢ２）との間のインターフェースを設定するときに、ＡＰ（例えば、ＬＴＥ-Ｈｉ ＡＰ等）によって取得されてもよい。技術的に知られているいくつかのバックホールの手続きが、上記の情報交換を実装するために利用可能である。したがって、本明細書では詳述しない。
【００２７】
また、ＰＬＭＮ情報は、セルレベル毎に提供される場合がある。
【００２８】
図７は、本発明の一実施形態に従うセルレベル毎のイントラ周波数モビリティに関するシステム情報であって、システム情報ブロックタイプ４のＩＥ７００を含むシステム情報の例示的記述である。本実施形態では、ＩＥ７００は、特定のセル再選択パラメータを有するイントラ周波数近隣セルのリストを含む場合がある。本明細書で使用されるイントラ周波数近隣セルとは、ＵＥの現在のサービングセルと同一のキャリア周波数を使っている近隣セルを指す。ネットワークの共有を考慮に入れると、特定の１つの近隣セルが、様々なＰＬＭＮに属することができる。したがって、一つ一つのイントラ周波数近隣セルに対し、追加的ＰＬＭＮアイデンティティ・リストの情報が提供され、このイントラ周波数近隣セルとＰＬＭＮとの間の関連性を示す。図４を参照して説明されるＩＥ４００と同様に、上記の情報は、特定のイントラ周波数近隣セルが属するＰＬＭＮの識別情報のリストを含む場合がある。ＵＥの視点からは、ＵＥは、あるイントラ周波数近隣セルが、どのＰＬＭＮに属しているかを示す情報を使用し、それに従って、利用可能性のあるターゲットＰＬＭＮが許容可能なＰＬＭＮであるか否かを判断する。アクセス可能なＰＬＭＮが見つからない場合、上記イントラ周波数近隣セルに対するセル再選択は生じないであろう。なお、近隣セルとＰＬＭＮとの間の関連性を示すことは、リスト内の各セルに対するＰＬＭＮ情報をリスト化することに限定されない。代替的に、上記リスト内のＰＬＭＮによって操作されるセルのリストを作成するか、または、上記リスト内の各ＰＬＭＮに対してそれら各ＰＬＭＮによって操作されるセルのリストを作成することによって実装される場合がある。しかし、ＡＳＮ．１に対するさらなる変更が要求されるであろう。
【００２９】
図８は、本発明の一実施形態に従うセルレベル毎のインター周波数モビリティに関するシステム情報であって、システム情報ブロックタイプ５のＩＥ８００を含むシステム情報の例示的記述である。本実施形態では、ＩＥ８００は、インター周波数キャリアの周波数リストを含む。一つ一つのキャリア周波数に対して、インター周波数近隣セルのリストが提供される。そして、さらに、一つ一つのインター周波数近隣セルに対して、追加的ＰＬＭＮアイデンティティ・リスト情報が提供され、当該インター周波数キャリアを使用するインター周波数近隣セルとＰＬＭＮとの間の関連性を示す。ＵＥの視点からは、ＵＥは、あるインター周波数キャリアを使用するインター周波数近隣セルが、どのＰＬＭＮに属しているかを示す情報を使用し、それに従って、利用可能性のあるターゲットＰＬＭＮが許容可能であるか否かを判断すると考えられる。アクセス可能なＰＬＭＮが見つからない場合、上記インター周波数キャリアを使用する上記インター周波数近隣セルに対するセル選択は生じないと考えられる。そして、上記インター周波数近隣セルに関するインター周波数の測定は実行されないと考えられる。
【００３０】
セルレベル毎のインターＲＡＴモビリティに関しては、インターＲＡＴ近隣セルとＰＬＭＮとの間の関連性を示すＰＬＭＮ情報がＩＥに含まれるように、図８に示されたものと同様の方法で、システム情報ブロックタイプ６，７，８のＩＥがまた使用されうる。これについては説明を簡潔にするため、本明細書では説明しない。
【００３１】
前述において、システム情報は、キャリアレベル毎またはセルレベル毎いずれかのＰＬＭＮ情報を含む。しかし、システム情報は、キャリアレベル毎及びセルレベル毎の両方のＰＬＭＮ情報を含んでもよい。例えば、ＰＬＭＮ情報は、ＩＥ４００に含まれる追加的ＰＬＭＮアイデンティティ・リストの情報と、ＩＥ７００に含まれる追加的ＰＬＭＮアイデンティティ・リストの情報とを組み合わせること、または、ＩＥ５００に含まれる追加的ＰＬＭＮアイデンティティ・リストの情報と、ＩＥ８００に含まれる追加的ＰＬＭＮアイデンティティ・リストの情報とを組み合わせることが可能である。この例では、ＰＬＭＮ情報を受信すると、ＵＥは最初に、あるキャリア（イントラ周波数キャリアまたはインター周波数キャリア）と関連するアクセス可能なＰＬＭＮが存在するか否か判断する。アクセス可能なＰＬＭＮが見つからない場合、上記キャリアに対するセル再選択は始動されず、したがって、上記キャリア上での近隣セルに関連する測定は、実行されないと考えられる。上記キャリアと関連するＰＬＭＮのいくつかがアクセス可能であり、他のＰＬＭＮがアクセス不可能である場合、ＵＥはさらに、上記キャリアを使用する近隣セルのどのセルが、アクセス可能なＰＬＭＮに属しているか判断し、続いて、これら近隣セルに関する測定を実行する。
【００３２】
イントラ周波数近隣セル、または、インター周波数近隣セル／インターＲＡＴ近隣セルそれぞれに関する、上記の追加的ＰＬＭＮアイデンティティ・リストの情報は、ＡＰ（例えば、ＬＴＥ−Ｈｉ ＡＰ等）のシステム情報の中でブロードキャストされる。このＡＰのシステム情報は、ＡＰと関連するｅＮＢとの間のインターフェース（Ｓ１'／Ｘ３）の設定手続きの間に、ＡＰによって取得されうる。
【００３３】
図９は、本発明の典型的実施形態を実行するのに適するＡＰ９０１及びＵＥ９０２の簡易ブロック図を示す。ＵＥ９０２は、データプロセッサ（ＤＰ）９０３、ＤＰ９０３に接続するメモリ（ＭＥＭ）９０４、ＤＰ９０３に接続する適切なＲＦの送信機ＴＸ及び受信機ＲＸ９０５（これらは同一の構成要素に実装される必要はない）を備える。ＭＥＭ９０４は、プログラム（ＰＲＯＧ）９０６を記憶する。ＴＸ／ＲＸ９０５は、ＡＰ９０１との双方向無線通信用のものである。ここで留意すべき点は、ＴＸ／ＲＸ９０５が通信を手助けするために少なくとも一つのアンテナを有しており、ＭＩＭＯ（multiple-input multiple-output）通信のために複数のアンテナを使用してもよく、ここでは、ＵＥ９０２は、複数のＴＸ及び／またはＲＸを備えてもよい点である。
【００３４】
ＡＰ９０１は、データプロセッサ（ＤＰ）９０７、ＤＰ９０７に接続するメモリ（ＭＥＭ）９０８、ＤＰ９０７に接続する適切なＲＦの送信機ＴＸ及び受信機ＲＸ９０９を備える。ＭＥＭ９０８は、プログラム（ＰＲＯＧ）９１０を記憶する。ＴＸ／ＲＸ９０９は、ＵＥ９０２との双方向無線通信用のものである。ここで留意すべき点は、ＴＸ／ＲＸ９０９が、通信を手助けするために少なくとも一つのアンテナを有している点である。ＡＰ９０１は、データ経路を介して一つまたは複数の外部ネットワークまたはシステム（例えば、インターネット等）と接続されうる。
【００３５】
プログラム９０６，９１０の少なくともいずれかは、関連するＤＰ９０３及び９０７に実行される時に、方法２００または３００を用いて以下さらに詳細に説明されるような、本発明の例示的実施形態に従った処理を、ＵＥ９０２及びＡＰ９０１が遂行することを可能にするプログラム命令を含んでいると想定される。
【００３６】
一般に、ＵＥ９０２の様々な実施形態は以下のものを含んでもよい：携帯電話，無線通信機能を備える携帯情報端末（ＰＤＡ），無線通信機能を備えるポータブルコンピュータ，無線通信機能を備える、デジタルカメラ等の撮像装置，無線通信機能を備えるゲーム機器，無線通信機能を備える音楽格納・再生装置，無線インターネットアクセスとブラウジング可能なインターネット装置，以上の機能の組合せを備えるポータブルユニットまたは装置。ただし、これらに限定されない。
【００３７】
そして本発明の実施形態は、ＵＥ９０２及びＡＰ９０１のＤＰ９０３，９０７のうちの一つまたは複数によって実行可能なコンピュータソフトウェア，ハードウェア，またはソフトウェアとハードウェアの組合せによって実装されてもよい。
【００３８】
ＭＥＭ９０４及び９０８は、ローカルな技術環境に適したあらゆるタイプのものであってよい。例えば、半導体ベースのメモリデバイス，磁気メモリデバイス・システム，光学式メモリデバイス・システム，固定式・移動式メモリ等の様々な適合するデータ格納技術を用いて実装されてもよいが、これに限定されない。ＡＰ９０１またはＵＥ９０２には一つのみのＭＥＭが示されているが、ＡＰ９０１またはＵＥ９０２に、いくつかの物理的に異なるメモリユニットがあってもよい。ＤＰ９０３及び９０７の種類は各々の技術環境に適した任意のものであってもよく、汎用コンピュータ、専用コンピュータ、マイクロプロセッサ、デジタル信号プロセッサ（ＤＳＰ）、及びマルチコアプロセッサアーキテクチャに基づくプロセッサのうちの1つ以上を非限定的な実施例として含んでもよい。ＵＥ９０２及びＡＰ９０１のいずれかまたは双方は、例えば、アプリケーション固有のＩＣチップ等のマルチ・プロセッサを備えてもよい。このＩＣチップ等は、メインプロセッサに同期するクロックに合わせて動作する。
【００３９】
上記の説明はＥ−ＵＴＲＡＮ、ＬＴＥ−Ｈｉ、ＡＰに基づくものであるが、本発明の主旨及び範囲を限定するものとして解釈してはならない。着想及び構想は一般化され、また、標準的なＥ−ＵＴＲＡＮのマクロレイアウト（macro layout）、HetNet配置、ＲＡＮ共有が採用されるその他の配置を対象にする。さらに、ＡＳＮ．１の例示は、E-UTＲＡＮでの着想の実装方法を説明するための単なる例示に過ぎず、限定解釈してはならない。
【００４０】
本発明の例示的実施形態は、方法、装置（換言すると、システム）のブロック図、フローチャートを参照して、上記で説明されている。ブロック図及びフローチャートの各ブロック、ブロック図及びフローチャート内のブロックの組み合わせのそれぞれは、コンピュータプログラム命令を含む様々な手段によって実装されうることは、理解可能であろう。これらのコンピュータプログラム命令は、汎用コンピュータ、専用コンピュータ、他のプログラム可能な処理装置にロードされて機械を構成する。すなわち、コンピュータまたはプログラム可能な処理装置で実行する命令は、フローチャートの（一つ以上の）ブロックにより特定される機能を実装するための手段を具現化する。
【００４１】
前述のコンピュータプログラム命令は、例えば、サブルーチン及び／または関数であってもよい。本発明の一実施形態におけるコンピュータプログラム製品は、少なくとも一つのコンピュータ可読記憶媒体を備え、前述のコンピュータプログラム命令は、このコンピュータ可読記憶媒体上に記憶される。上記コンピュータ可読記憶媒体は、例えば、光学的なコンパクトディスク、または、ＲＡＭ（random access memory）若しくはＲＯＭ（read only memory）のような電子的な記憶装置でもよい。
【００４２】
前述の説明や関連する図面に示される教示から利益を受けうる当業者には、ここで説明された本発明のこれら実施形態についての多くの変形やその他の実施形態が想起されるであろう。従って、本発明の実施形態は、ここで開示された特定の実施形態に制限されるものと理解されてはならず、上述の変形その他の実施形態も、添付の請求項の範囲に含まれるべきものである。本願では特定の用語が使用されているが、それらは一般的説明を目的として使用されており、限定する目的で使用されていない。
【００４３】
＜略語一覧＞
3GPP：第３世代パートナーシッププロジェクト（3rd generation partnership project）
AP：アクセスポイント（access point）
ASN.1：抽象構文記法１（abstract syntax notation one）
BCCH ：ブロードキャスト制御チャネル（broadcast control channel）
BS：基地局（base station）
CDMA：符号分割多重アクセス方式（code division multiple access）
DP：データプロセッサ（data processor）
DSP：デジタル信号プロセッサ（digital signal processor）
eNB：次世代ノードＢ（evolved Node-B）
E-UTRAN：次世代UMTS地上無線アクセスネットワーク（evolved UMTS terrestrial radio access network ）
EDGE：GSMエボリューションのための次世代データ転送速度（enhanced data rates for GSM evolution）
GERAN：GSM /EDGE無線アクセスネットワーク（GSM /EDGE radio access network）
GSM（登録商標）：グローバル・システム・フォー・モバイル・コミュニケーションズ（global system for mobile communications）
HPLMN：ホーム・パブリック・ランド・モバイル・ネットワーク（home public land mobile network）
IE：情報要素（information element）
LTE：ロング・ターム・エボリューション（long term evolution）
LTE-Hi：LTEホットスポット・インドア（LTE hotspot indoor）
PDA：パーソナルデジタルアシスタント（personal digital assistant）
PLMN：パブリック・ランド・モバイル・ネットワーク（public land mobile network）
ＲＡＮ：無線アクセスネットワーク（radio access network）
RAT：無線アクセステクノロジー（radio access technology）
UE：ユーザ装置（user equipment）
USIM：汎用加入者識別モジュール（universal subscriber identity module）
UTＲＡＮ：ユニバーサル地上無線アクセスネットワーク（universal terrestrial radio access network）
RAM：ラム（random access memory）
ROM：ロム（read only memory）
SIM：加入者識別モジュール（subscriber identity module）
HetNet：ヘットネット（heterogeneous network）
【図１】
2018078632.tif 000003
【図２】
2018078632.tif 000004
【図３】
2018078632.tif 000005
【図４】
2018078632.tif 000006
【図５】
2018078632.tif 000007
【図６】
2018078632.tif 000008
【図７】
2018078632.tif 000009
【図８】
2018078632.tif 000010
【図９】
2018078632.tif 000011